(57)【要約】【課題】  転送する相手先の受信能力に応じた転送制御を行い得るようにして汎用性を向上できると共に、転送時刻の設定が可能なネットワークファクシミリ装置を提供すること。【解決手段】  ローカル・エリア・ネットワーク（ＬＡＮ）に接続されたメール伝送機能およびファクシミリ通信機能を備えるネットワークファクシミリ装置１０は、ＬＡＮを介して受信した電子メールデータを記憶しつつ送信元に対応して登録されている転送先の種別に応じたデータ形式に変換してこの転送先に転送すると共に、転送先または送信元に応じた転送時刻を予め設定できるように構成される。【選択図】  図１
2005287084.tif 000002
【特許請求の範囲】
【請求項１】
ローカル・エリア・ネットワークを介して電子メールを送受信する機能と公衆回線網を介してファクシミリ通信を行う機能とを含む通信機能を有するネットワークファクシミリ装置において、
前記ローカル・エリア・ネットワークを介して受信した電子メールを保存するデータ記憶手段と、
前記受信した電子メールに含まれているデータを該データの種類に応じた方法でファクシミリ用画像データに変換するデータ変換手段と、
前記ファクシミリ用画像データの転送先として前記公衆回線網を介して通信が行われるファクシミリ装置の宛先番号を登録する転送先登録手段と、
前記ローカル・エリア・ネットワークを介して受信し保存したデータを前記ファクシミリ用画像データに変換して前記転送先登録手段に登録されている相手先ファクシミリ装置に転送する転送制御手段とを備えたことを特徴とするネットワークファクシミリ装置。
【請求項２】
インターネットを介したファクシミリ通信を可能とする所定のプロトコルに準拠したデータ通信機能を備え、前記転送先登録手段は、転送先として、前記公衆回線網を介して通信が行われるファクシミリ装置の宛先番号に加え、前記プロトコルに準拠したデータ通信機能を備えた端末の宛先情報と当該端末の通信可能なデータ形式の情報とを対応付けして登録し、前記転送制御手段は、受信した画像データや電子メールに含まれているデータの形式を前記転送先登録手段に登録されている転送先の端末のデータ形式に変換して転送することを特徴とする請求項１に記載のネットワークファクシミリ装置。
【請求項３】
前記転送制御手段は、前記プロトコルに準拠して受信したデータもデータ記憶手段に記憶させて前記転送先登録手段に登録されている転送先に転送することを特徴とする請求項２に記載のネットワークファクシミリ装置。
【請求項４】
受信したデータの送信元を識別する情報を前記転送先登録手段に登録されている転送先に対応付けして登録する送信元登録手段を備え、前記転送制御手段は、受信したデータの送信元が前記送信元登録手段に登録されているときに、該送信元に対応付けされている転送先に当該受信データを転送することを特徴とする請求項１ないし請求項３のいずれかに記載のネットワークファクシミリ装置。
【請求項５】
前記転送制御手段は、受信した電子メールに基づいて送信元のドメイン名を抽出するドメイン名抽出手段を備え、該ドメイン名が送信元登録手段に登録されているときに、該電子メールをデータ記憶手段に保存して、当該送信元に対応付けされている転送先への転送制御を行うことを特徴とする請求項４に記載のネットワークファクシミリ装置。
【請求項６】
前記プロトコルに準拠したデータ通信機能を備える場合に、前記送信元登録手段は、送信元を識別する情報として前記送信元ＩＰアドレスおよび受信したパケット内に格納された端末識別情報を登録可能にしたことを特徴とする請求項４または請求項５に記載のネットワークファクシミリ装置。
【請求項７】
送信側ファクシミリ装置からの画情報を受信し、所定の通信機能を有するファクシミリ装置において、
前記受信した画情報を記憶するデータ記憶手段と、
前記受信した画情報の転送先の識別情報を１つ以上記憶する転送先登録手段と、
前記転送先毎に転送を開始する時刻として１つ以上の設定時刻を記憶する設定時刻記憶手段と、
前記データ記憶手段が記憶した画情報をこの画情報の転送先として前記転送先登録手段が記憶した転送先に、前記設定時刻記憶手段が記憶したこの転送先の転送開始時刻に転送する転送制御手段とを備えたことを特徴とするファクシミリ装置。
【請求項８】
送信側ファクシミリ装置から送信された画情報を受信して複数の転送先に転送する機能を有するファクシミリ装置において、
前記受信した画情報の転送先の識別情報を１つ以上記憶する転送先登録手段と、
前記転送先登録手段が記憶する各転送先の識別情報に対応する１又は複数の送信元の識別情報を記憶する送信元登録手段と、
前記転送先登録手段が記憶する転送先毎に転送を開始する時刻として１つ以上の設定時刻の情報を記憶する設定時刻記憶手段と、
前記画情報を受信したときにこの画情報の送信元が前記送信元登録手段によって記憶された送信元か否かを判別するための判別手段と、
前記判別手段が前記送信元登録手段によって記憶された送信元からの画情報と判断した画情報を記憶するデータ記憶手段と、
前記データ記憶手段に記憶された画情報の送信元に対応する転送先を前記転送先登録手段から抽出する転送先抽出手段と、
前記設定時刻までに受信して前記データ記憶手段に記憶した各画情報を、前記転送先抽出手段によって抽出された転送先にこの転送先に対応する設定時刻に転送を開始する転送制御手段とを備えたことを特徴とするファクシミリ装置。
【請求項９】
前記設定時刻記憶手段が、さらに、一律に転送を開始する時刻として１つ以上の設定時刻の情報を記憶することができ、前記転送先毎の設定時刻または前記一律転送処理の設定時刻のいずれかの設定時刻を記憶し、前記転送制御手段が、前記設定時刻記憶手段が記憶した設定時刻になるまでに受信して前記データ記憶手段に蓄積した画情報を、前記転送先抽出手段によって抽出された転送先に対応する設定時刻に転送を開始することを特徴とする請求項８に記載のファクシミリ装置。
【請求項１０】
ネットワークを介して電子メールを送受信する機能と公衆回線網を介してファクシミリ通信を行う機能とを含む通信機能を有するネットワークファクシミリ装置において、
ネットワークを介して受信した電子メールを保存するデータ記憶手段と、
前記データ記憶手段に保存された電子メールに含まれているデータを該データの種類に応じた方法でファクシミリ用画像データに変換するデータ変換手段と、
前記データ記憶手段に保存された電子メールに含まれているデータの内容に応じてこのデータの転送先を判定する判定手段と、
前記ファクシミリ用画像データの転送先として前記公衆回線網を介して接続されたファクシミリ装置の電話番号を記憶する転送先登録手段と、
前記ファクシミリ用画像データを前記転送先登録手段に登録されている相手先ファクシミリ装置に転送する転送制御手段と、
前記転送先毎に転送処理を開始する時刻として１つ以上の設定時刻を記憶する時刻記憶手段とを備え、
前記設定時刻になるまでに前記データ記憶手段に保存した電子メールに含まれているデータを前記ファクシミリ用画像データに変換し、前記転送先登録手段に記憶された転送先に、この転送先に対応する設定時刻に転送処理を開始することを特徴としたネットワークファクシミリ装置。
【請求項１１】
リアルタイム・インターネット・ファクシミリ機能を可能とするプロトコルに準拠したデータ伝送機能であるＲＩ−ＦＡＸ機能を有し、
公衆回線網経由で通信可能なファクシミリ装置の電話番号、前記ＲＩ−ＦＡＸ機能を備えた端末のＩＰアドレス若しくはホスト名、又はネットワーク経由で画像データを受信可能な端末の電子メールアドレスを含む特定情報をデータの転送先を特定する情報として記憶し、前記各装置または端末の通信手順およびデータ形式を記憶する転送先情報記憶手段を備え、
前記データ変換手段は、受信した画情報又は電子メールに含まれているデータのデータ形式を転送先の端末のデータ形式に変換し、前記転送制御手段は、前記転送先登録手段に記憶された転送先に、この転送先に対応する設定時刻に転送処理を開始することを特徴とする請求項１０に記載のネットワークファクシミリ装置。
【請求項１２】
前記転送処理の対象となるデータは、前記ＲＩ−ＦＡＸ機能によって受信されたものを含むことを特徴とする請求項１１に記載のネットワークファクシミリ装置。
【請求項１３】
ネットワークを介して通信可能な外部のコンピュータのハードディスク上にデータを記録する機能を有し、前記転送先登録手段は、前記ネットワークを介して通信可能な１以上の前記外部のコンピュータに接続されたハードディスク上のフォルダを転送先として記憶し、前記設定時刻記憶手段は、前記フォルダへの転送開始時刻を含む情報を記憶し、前記転送制御手段は、受信した画情報、前記ＲＩ−ＦＡＸ機能によって受信されたデータ、又は受信した電子メールに含まれている画情報を、前記ネットワークを介して通信可能な所定のコンピュータに接続されたハードディスク上の所定のフォルダに、このフォルダを転送先とする設定時刻に転送を開始することを特徴とする請求項１０ないし請求項１２のいずれかに記載のネットワークファクシミリ装置。
【請求項１４】
前記転送先登録手段が記憶した送信先の各識別情報に対応させて、１または複数のメールアドレス、前記ＲＩ−ＦＡＸ機能を有する端末のＩＰアドレス、または公衆回線用ファクシミリ装置の端末識別情報を含む送信元の識別情報を記憶する転送先選択用送信元記憶手段と、画情報または電子メールを含むデータ受信したとき、受信データのデータ形式または送信側端末の種別に基づいて送信元の識別情報を特定する送信元識別手段と、特定された送信元の識別情報が前記転送先選択用送信元記憶手段に記憶された送信元か否かを判別する送信元判別手段と、受信した画情報の送信元が前記転送先選択用送信元記憶手段に記憶された送信元であるとき、この送信元に対応する転送先を抽出する転送先抽出手段とを備え、
前記設定時刻記憶手段は、前記送信元の識別情報毎に転送を開始する時刻を記憶し、前記転送制御手段は、前記転送元の識別情報に基づいて特定される転送開始時刻に、転送先の端末のデータ形式に転送するデータを変換して転送を開始することを特徴とする請求項１０ないし請求項１３のいずれかに記載のネットワークファクシミリ装置。
【発明の詳細な説明】
【技術分野】
【０００１】
本発明は、ネットワークファクシミリ装置に関し、詳しくは、受信したデータを予め登録されている相手先に転送するネットワークファクシミリ装置に関する。
【背景技術】
【０００２】
近年の通信技術の発達により、ローカル・エリア・ネットワーク（ＬＡＮ）を介して共通使用するネットワークファクシミリ装置が出現してきており、このネットワークファクシミリ装置には電子メールを受信して出力できるように工夫されたものも提案されている。
【０００３】
この種のネットワークファクシミリ装置としては、例えば、特許文献１に記載されているものがある。このネットワークファクシミリ装置では、受信を許容するメールアドレスを指定して、指定外の送信元メールアドレスまたはドメイン名からの電子メールのみを破棄あるいは転送するようにして、不必要なダイレクトメールの受信処理を回避することができるようになっている。
【特許文献１】特開平１１−３５５３４７号公報
【発明の開示】
【発明が解決しようとする課題】
【０００４】
しかしながら、このような従来のネットワークファクシミリ装置は、受信した電子メール中の不要な電子メールを破棄するものであり、必要なデータを望む相手先に必ずしも転送することができず、電子メールを受信処理可能な相手先にしか転送することができず、転送時刻の指定ができないという問題があった。
【０００５】
ここで、実開平４−８５７１号公報には、送信元に応じた相手先に受信データを転送することが記載されているが、その相手先はファクシミリ通信を相互に行い得るファクシミリ装置に限られており、いずれにしても送られてきたデータを同様に受信することができる機能を転送先に要求するものである。
【０００６】
そこで、本発明は、転送する相手先の受信能力に応じた転送制御を行い得るようにして汎用性を向上できると共に、転送時刻の設定が可能なネットワークファクシミリ装置を提供することを目的とする。
【課題を解決するための手段】
【０００７】
以上の点を考慮して、請求項１に係る発明は、ローカル・エリア・ネットワークを介して電子メールを送受信する機能と公衆回線網を介してファクシミリ通信を行う機能とを含む通信機能を有するネットワークファクシミリ装置において、前記ローカル・エリア・ネットワークを介して受信した電子メールを保存するデータ記憶手段と、前記受信した電子メールに含まれているデータを該データの種類に応じた方法でファクシミリ用画像データに変換するデータ変換手段と、前記ファクシミリ用画像データの転送先として前記公衆回線網を介して通信が行われるファクシミリ装置の宛先番号を登録する転送先登録手段と、前記ローカル・エリア・ネットワークを介して受信し保存したデータを前記ファクシミリ用画像データに変換して前記転送先登録手段に登録されている相手先ファクシミリ装置に転送する転送制御手段とを備えた構成を有している。
【０００８】
この構成により、ローカル・エリア・ネットワーク経由で受信した電子メールを、転送先として登録されているファクシミリ装置が処理可能な画像データに変換して転送するので、転送先に電子メールの通信機能を要求することなく、受信した電子メールに含まれるデータを転送することが可能なネットワークファクシミリ装置を実現することができる。
【０００９】
また、請求項２に係る発明は、請求項１において、インターネットを介したファクシミリ通信を可能とする所定のプロトコルに準拠したデータ通信機能を備え、前記転送先登録手段は、転送先として、前記公衆回線網を介して通信が行われるファクシミリ装置の宛先番号に加え、前記プロトコルに準拠したデータ通信機能を備えた端末の宛先情報と当該端末の通信可能なデータ形式の情報とを対応付けして登録し、前記転送制御手段は、受信した画像データや電子メールに含まれているデータの形式を前記転送先登録手段に登録されている転送先の端末のデータ形式に変換して転送する構成を有している。
【００１０】
この構成により、転送先の宛先情報として、例えば、インターネットを介したファクシミリ通信を可能とする所定のプロトコルに準拠したデータ通信機能（以下、単に、リアルタイム・インターネット・ファクシミリ機能という。）を備えてＩＰアドレスまたはホスト名を登録されている端末については、受信・蓄積された電子メールや画像データは、その宛先情報に対応付けられた端末が通信可能なデータ形式に変換されて転送されため、受信した電子メールに含まれるデータを、リアルタイム・インターネット・ファクシミリ機能機能を備える端末に転送することが可能なネットワークファクシミリ装置を実現することができる。
【００１１】
また、請求項３に係る発明は、請求項２において、前記転送制御手段は、前記プロトコルに準拠して受信したデータもデータ記憶手段に記憶させて前記転送先登録手段に登録されている転送先に転送する構成を有している。
【００１２】
この構成により、電子メールに含まれるデータに限らず、例えば、リアルタイム・インターネット・ファクシミリ機能を備える端末からのデータをも転送することができるため、転送するデータの送信元の制限を少なくすることができ、いろいろな形式のデータを転送することが可能なネットワークファクシミリ装置を実現することができる。
【００１３】
また、請求項４に係る発明は、請求項１ないし請求項３のいずれかにおいて、受信したデータの送信元を識別する情報を前記転送先登録手段に登録されている転送先に対応付けして登録する送信元登録手段を備え、前記転送制御手段は、受信したデータの送信元が前記送信元登録手段に登録されているときに、該送信元に対応付けされている転送先に当該受信データを転送する構成を有している。
【００１４】
この構成により、例えば、電子メールのメールアドレス、リアルタイム・インターネット・ファクシミリ機能を備えた端末のＩＰアドレス、または、公衆回線用ファクシミリ装置の端末識別情報などを、あるいは、データ形式を、受信データの送信元識別情報として登録するとともに、その送信元を転送先に対応付けして登録することにより、受信したデータは、送信元毎に転送先を選択して、その転送先に応じて伝送可能なデータ形式に変換した後に転送することができるため、受信したデータをその送信元に対応する転送先に、または送信元のデータ形式に対応する転送先に転送することが可能なネットワークファクシミリ装置を実現することができる。
【００１５】
また、請求項５に係る発明は、請求項４において、前記転送制御手段は、受信した電子メールに基づいて送信元のドメイン名を抽出する手段を備え、該ドメイン名が送信元登録手段に登録されているときに、該電子メールをデータ記憶手段に保存して、当該送信元に対応付けされている転送先への転送制御を行う構成を有している。
【００１６】
この構成により、受信した電子メールから送信元の電子メールのドメイン名が抽出されて送信元が識別され、対応する転送先に電子メールに含まれるデータのデータ形式が変換されて転送されるため、転送元に応じた転送先にこの転送先が受け取ることができるデータ形式で電子メールに含まれるデータを転送することが可能なネットワークファクシミリ装置を実現することができる。
【００１７】
また、請求項６に係る発明は、請求項４または請求項５において、前記プロトコルに準拠したデータ通信機能を備える場合に、前記送信元登録手段は、送信元を識別する情報として前記送信元ＩＰアドレスおよび受信したパケット内に格納された端末識別情報を登録可能にした構成を有している。
【００１８】
この構成により、例えば、リアルタイム・インターネット・ファクシミリ機能によってデータを受信したとき、その送信元のＩＰアドレスあるいはパケット内の端末識別情報から送信元が識別され、対応する転送先に受信データがデータ形式を変換されて転送されるため、転送元に応じた転送先にこの転送先が受け取ることができるデータ形式で上記の受信データを転送することが可能なネットワークファクシミリ装置を実現することができる。
【００１９】
また、請求項７に係る発明は、送信側ファクシミリ装置からの画情報を受信し、所定の通信機能を有するファクシミリ装置において、前記受信した画情報を記憶するデータ記憶手段と、前記受信した画情報の転送先の識別情報を１つ以上記憶する転送先登録手段と、前記転送先毎に転送を開始する時刻として１つ以上の設定時刻を記憶する設定時刻記憶手段と、前記データ記憶手段が記憶した画情報をこの画情報の転送先として前記転送先登録手段が記憶した転送先に、前記設定時刻記憶手段が記憶したこの転送先の転送開始時刻に転送する転送制御手段とを備えた構成を有している。
【００２０】
この構成により、転送先毎の設定時刻に受信データの転送を開始するため、転送処理の実行により他のファクシミリ通信を妨げる可能性のない時間帯や通信料金の安い時間帯にまとめて転送処理を行うことが可能なファクシミリ装置を実現することができる。
【００２１】
また、請求項８に係る発明は、送信側ファクシミリ装置から送信された画情報を受信して複数の転送先に転送する機能を有するファクシミリ装置において、前記受信した画情報の転送先の識別情報を１つ以上記憶する転送先登録手段と、前記転送先登録手段が記憶する各転送先の識別情報に対応する１又は複数の送信元の識別情報を記憶する送信元登録手段と、前記転送先登録手段が記憶する転送先毎に転送を開始する時刻として１つ以上の設定時刻の情報を記憶する設定時刻記憶手段と、前記画情報を受信したときにこの画情報の送信元が前記送信元登録手段によって記憶された送信元か否かを判別するための判別手段と、前記判別手段が前記送信元登録手段によって記憶された送信元からの画情報と判断した画情報を記憶するデータ記憶手段と、前記データ記憶手段に記憶された画情報の送信元に対応する転送先を前記転送先登録手段から抽出する転送先抽出手段と、前記設定時刻までに受信して前記データ記憶手段に記憶した各画情報を、前記転送先抽出手段によって抽出された転送先にこの転送先に対応する設定時刻に転送を開始する転送制御手段とを備えた構成を有している。
【００２２】
この構成により、請求項７に係る発明の効果に加えて、転送先登録手段が記憶する各転送先の識別情報に対応する１又は複数の送信元の識別情報を記憶する送信元登録手段を設けて同じ転送先でも送信元毎に異なる転送時刻を設定することができるため、受信側での受信画像の仕分けを簡略化したり、緊急度に応じた優先順位を付加したりすることが可能なファクシミリ装置を実現することができる。
【００２３】
また、請求項９に係る発明は、請求項８において、前記設定時刻記憶手段が、さらに、一律に転送を開始する時刻として１つ以上の設定時刻の情報を記憶することができ、前記転送先毎の設定時刻または前記一律転送処理の設定時刻のいずれかの設定時刻を記憶し、前記転送制御手段が、前記設定時刻記憶手段が記憶した設定時刻になるまでに受信して前記データ記憶手段に蓄積した画情報を、前記転送先抽出手段によって抽出された転送先に対応する設定時刻に転送を開始する構成を有している。
【００２４】
この構成により、請求項７または請求項８に係る発明の効果に加えて、複数回受信した画情報の転送処理を一度にまとめてできるため、転送時間の短縮と通信費用の低減が可能なファクシミリ装置を実現することができる。
【００２５】
また、請求項１０に係る発明は、ネットワークを介して電子メールを送受信する機能と公衆回線網を介してファクシミリ通信を行う機能とを含む通信機能を有するネットワークファクシミリ装置において、ネットワークを介して受信した電子メールを保存するデータ記憶手段と、前記データ記憶手段に保存された電子メールに含まれているデータを該データの種類に応じた方法でファクシミリ用画像データに変換するデータ変換手段と、前記データ記憶手段に保存された電子メールに含まれているデータの内容に応じてこのデータの転送先を判定する判定手段と、前記ファクシミリ用画像データの転送先として前記公衆回線網を介して接続されたファクシミリ装置の電話番号を記憶する転送先登録手段と、前記ファクシミリ用画像データを前記転送先登録手段に登録されている相手先ファクシミリ装置に転送する転送制御手段と、前記転送先毎に転送処理を開始する時刻として１つ以上の設定時刻を記憶する時刻記憶手段とを備え、前記設定時刻になるまでに前記データ記憶手段に保存した電子メールに含まれているデータを前記ファクシミリ用画像データに変換し、前記転送先登録手段に記憶された転送先に、この転送先に対応する設定時刻に転送処理を開始する構成を有している。
【００２６】
この構成により、電子メールで受け取った画情報を公衆回線経由で通信可能なファクシミリ装置に転送する際に転送開始時間を設定できるため、他のファクシミリ通信を妨げる可能性のない時間帯や通信料金の安い時間帯にまとめて転送処理を行うことが可能なネットワークファクシミリ装置を実現することができる。
【００２７】
また、請求項１１に係る発明は、請求項８において、リアルタイム・インターネット・ファクシミリ機能を可能とするプロトコルに準拠したデータ伝送機能であるＲＩ−ＦＡＸ機能を有し、公衆回線網経由で通信可能なファクシミリ装置の電話番号、前記ＲＩ−ＦＡＸ機能を備えた端末のＩＰアドレス若しくはホスト名、又はネットワーク経由で画像データを受信可能な端末の電子メールアドレスを含む特定情報をデータの転送先を特定する情報として記憶し、前記各装置または端末の通信手順およびデータ形式を記憶する転送先情報記憶手段を備え、前記データ変換手段は、受信した画情報又は電子メールに含まれているデータのデータ形式を転送先の端末のデータ形式に変換し、前記転送制御手段は、前記転送先登録手段に記憶された転送先に、この転送先に対応する設定時刻に転送処理を開始する構成を有している。
【００２８】
この構成により、請求項１０に係る発明の効果に加えて、転送先としてリアルタイム・インターネット・ファクシミリ機能を備えた装置をも対象とすることができるため、ネットワークトラヒックの少ない時間帯を選んで転送処理を行うことが可能なネットワークファクシミリ装置を実現することができる。
【００２９】
また、請求項１２に係る発明は、請求項１１において、前記転送処理の対象となるデータは、前記ＲＩ−ＦＡＸ機能によって受信されたものを含む構成を有している。
【００３０】
この構成により、請求項１１に係る発明の効果に加えて、リアルタイム・インターネット・ファクシミリ機能を備えた装置から受信した画情報も転送対象とすることが可能なネットワークファクシミリ装置を実現することができる。
【００３１】
また、請求項１３に係る発明は、請求項１０ないし請求項１２において、ネットワークを介して通信可能な外部のコンピュータのハードディスク上にデータを記録する機能を有し、前記転送先登録手段は、前記ネットワークを介して通信可能な１以上の前記外部のコンピュータに接続されたハードディスク上のフォルダを転送先として記憶し、前記設定時刻記憶手段は、前記フォルダへの転送開始時刻を含む情報を記憶し、前記転送制御手段は、受信した画情報、前記ＲＩ−ＦＡＸ機能によって受信されたデータ、又は受信した電子メールに含まれている画情報を、前記ネットワークを介して通信可能な所定のコンピュータに接続されたハードディスク上の所定のフォルダに、このフォルダを転送先とする設定時刻に転送を開始する構成を有している。
【００３２】
この構成により、請求項１０ないし請求項１２のいずれかに係る発明の効果に加えて、様々な形式やルートで受信した画情報をネットワーク経由で通信可能なコンピュータに接続されたハードディスクにデータを記憶させることができるため、ネットワーク上の特定のフォルダに受信した画情報を保存することが可能なネットワークファクシミリ装置を実現することができる。
【００３３】
また、請求項１４に係る発明は、請求項１０ないし請求項１３において、前記転送先登録手段が記憶した送信先の各識別情報に対応させて、１または複数のメールアドレス、前記ＲＩ−ＦＡＸ機能を有する端末のＩＰアドレス、または公衆回線用ファクシミリ装置の端末識別情報を含む送信元の識別情報を記憶する転送先選択用送信元記憶手段と、画情報または電子メールを含むデータ受信したとき、受信データのデータ形式または送信側端末の種別に基づいて送信元の識別情報を特定する送信元識別手段と、特定された送信元の識別情報が前記転送先選択用送信元記憶手段に記憶された送信元か否かを判別する送信元判別手段と、受信した画情報の送信元が前記転送先選択用送信元記憶手段に記憶された送信元であるとき、この送信元に対応する転送先を抽出する転送先抽出手段とを備え、前記設定時刻記憶手段は、前記送信元の識別情報毎に転送を開始する時刻を記憶し、前記転送制御手段は、前記転送元の識別情報に基づいて特定される転送開始時刻に、転送先の端末のデータ形式に転送するデータを変換して転送を開始する構成を有している。
【００３４】
この構成により、請求項１０ないし請求項１３のいずれかに係る発明の効果に加えて、転送先登録手段が記憶する各転送先の識別情報に対応する１又は複数の送信元の識別情報を記憶する転送先選択用送信元記憶手段を設けて同じ転送先でも送信元毎に異なる転送時刻を設定することができるため、受信側での受信画像の仕分けを簡略化したり、緊急度に応じた優先順位を付加したりすることが可能なネットワークファクシミリ装置を実現することができる。
【発明の効果】
【００３５】
本発明のネットワークファクシミリ装置は、転送する相手先の受信能力に応じた転送制御を行い得るようにして汎用性を向上できると共に、転送時刻の設定が可能なネットワークファクシミリ装置を提供することができる。
【発明を実施するための最良の形態】
【００３６】
以下、添付図面を用いて本発明の実施の形態について説明する。
（第１の実施の形態）
図１は、本発明の第１の実施の形態に係るネットワークファクシミリ装置が接続されたシステム構成を示す図である。
【００３７】
図１において、ネットワークファクシミリ装置１０は、ワークステーション１００、メールサーバ２００およびルータ３００などと共にローカル・エリア・ネットワーク（ＬＡＮ）を介して通信可能であり、ネットワークファクシミリ装置１０およびワークステーション１００は、それぞれ各部署に複数配置されて、ルータ３００を介してインターネットに接続することができるとともに、メールサーバ２００による電子メールの収集および配布サービスを利用して電子メールを送受することができる機能を備えている。なお、ＬＡＮへの接続、インターネットへの接続、公衆回線網への接続等は、通信可能なものであれば有線であるか無線であるかを問わない。
【００３８】
図２は、本発明の第１の実施の形態に係るネットワークファクシミリ装置のブロック構成を示す図である。ネットワークファクシミリ装置１０は、システム制御部１１と、システムメモリ１２と、パラメータメモリ１３と、時計回路１４と、スキャナ１５と、プロッタ１６と、操作表示部１７と、符号化復号化部１８と、画像蓄積装置１９と、グループ３（Ｇ３）ファクシミリモデム２０と、網制御装置２１と、ＩＳＤＮ（integrated services digital network）インターフェース回路２２と、グループ４（Ｇ４）データ通信機能部２３と、ＬＡＮインターフェース回路２４と、ＬＡＮ伝送制御部２５とが、これら装置各部間でのデータのやりとり可能に内部バス２６に接続されている。
【００３９】
システム制御部１１は、制御処理プログラムに従って装置各部を統括制御しネットワークファクシミリ装置としてのファクシミリ伝送制御手順処理や本発明に係る各種制御処理などを行う。システムメモリ１２には、システム制御部１１が使用する制御処理プログラムやこの制御処理プログラムを実行するときに必要な各種データを格納すると共に、その制御処理プログラムの実行時のデータを一時記憶するワークエリアとしても使用される。パラメータメモリ１３には、このネットワークファクシミリ装置１０に固有な各種データを設定する。時計回路１４は、現在時刻情報を出力する。
【００４０】
スキャナ１５は、所定の解像度で原稿画像を読み取る。プロッタ１６は、所定の解像度で画像を記録出力する。操作表示部１７には、ユーザが入力操作をする操作キーや各種情報を表示する表示器などが配設されている。符号化復号化部１８は、画信号を符号化圧縮するとともに、符号化圧縮されている画情報を元の画信号に復号化する。画像蓄積装置１９は、符号化圧縮された状態の画情報を多数記憶する。
【００４１】
グループ３ファクシミリモデム２０は、グループ３ファクシミリのモデム機能を実現するためのものであり、伝送手順信号をやりとりするための低速モデム機能（Ｖ．２１モデム）、および、おもに画情報をやりとりするための高速モデム機能（Ｖ．１７モデム、Ｖ．３４モデム、Ｖ．２９モデム、Ｖ．２７ｔｅｒモデムなど）を備えている。網制御装置２１は、自動発着信機能を備えて公衆回線網（ＰＳＴＮ）に接続する。
【００４２】
ＩＳＤＮインターフェース回路２２は、ＩＳＤＮに接続する動作を行う。グループ４データ通信機能部２３は、Ｇ４通信制御部、Ｄチャンネル制御部、レイア信号制御部などを備えて、他のデータ端末装置との間で種々のデータをやりとりするデータ通信を行うための所定のプロトコルに従うＧ４通信制御処理を実行する。
【００４３】
ＬＡＮインターフェース回路２４は、ＬＡＮに接続する動作を行う。ＬＡＮ伝送制御部２５は、ＬＡＮを介して他のデータ端末装置との間で種々のデータをやりとりするための各種所定のプロトコルスイートの通信制御処理を実行する。
【００４４】
ここで、ＬＡＮでは、基本的には、接続されている端末相互間でのデータのやりとりは、いわゆるＴＣＰ（transmission control protocol）／ＩＰ（internet protocol）が適用されて行われて、例えば、電子メールのデータのやりとりでは上位レイヤの通信プロトコルとしてＳＭＴＰ（simple mail transfer protocol）という通信プロトコルが適用され、また、各端末がメールサーバ２００に対して、ユーザ宛の電子メールの受信確認や送信要求などのために適用するプロトコルとしては、いわゆるＰＯＰ（post office protocol）などが適用される。また、ＴＣＰの代わりにＵＤＰ（User Datagram Protocol）を用いたプロトコルスイートを適用することも可能である。
【００４５】
そして、ネットワークファクシミリ装置１０は、読み取った原稿画像を公衆回線網やＩＳＤＮを介して他のＧ３、Ｇ４ファクシミリ装置との間で送受する画情報伝送機能（ファクシミリ通信機能）と、その読取原稿画像をＬＡＮを介してワークステーション１００へ送信したり、そのワークステーション１００から送られてきた画情報を他のＧ３、Ｇ４ファクシミリ装置に送信することができるようにファクシミリモデム機能等を提供するサーバ機能とを備えており、このネットワークファクシミリ装置１０は、公衆回線網やＩＳＤＮを介して他のＧ３、Ｇ４ファクシミリ装置から送られてきた画情報をそのときに指定されたサブアドレスに対応したユーザに対して電子メールを用いて転送したり、あるいは、ＬＡＮ上のワークステーション１００より電子メールで受信した画情報を公衆回線網やＩＳＤＮを介して指定された短縮ダイアルの他のＧ３、Ｇ４ファクシミリ装置へ転送したりする電子メール処理機能等を備えるとともに、Ｔ．３８，Ｈ．２３２に準拠したリアルタイム・インターネット・ファクシミリ（以下、ＲＩ−ＦＡＸともいう。）を行うためのプロトコル制御を実行することができるようになっている。なお、自端末宛に受信した電子メールについては、本文情報に配置される画情報を取り出して、記録出力するようになっている。
【００４６】
詳細には、図３に示すように、受信したデータを転送する転送先を送信元に対応させて設定しておき、送信元として登録されている相手先からデータを受信した場合には、その送信元に対応する転送先への転送制御を行うようになっており、送信元毎に転送先の種別に応じて、Ｇ３ＦＡＸで用いる電話番号、メールアドレス、ＲＩ-ＦＡＸで用いるＩＰアドレスが対応付けして登録されていると共に、それぞれの送信元種別および転送先種別に応じて受信したデータを転送先で受信可能に変換して転送制御を行うようになっている。なお、この図３には、ＩＰアドレスを用いて転送先を指定する場合、ＩＰアドレスを直接指定する方法について示されているが、ホスト名で指定して、ＤＮＳ（domain name system）サーバからＩＰアドレスを引いてくるようにしてもよい。
【００４７】
このとき、受信したデータを転送する際には、受信データのデータ転送の要否を送信元情報で判断し、また、受信データの変換の要否およびその変換方法は送信元種別と転送先種別で判断するようになっており、送信元情報は、図４に示すように、送信元種別に応じて、例えば、電子メールの場合にはヘッダ情報より抽出する送信元のメールアドレスやドメイン名から、また、Ｇ３ＦＡＸの場合にはＴＳＩ（transmitting subscriber identification）またはＮＳＳ（ＴＳＩ）（non-standard facilities set-up）、Ｇ４ＦＡＸの場合にはＴＩＤ（相手端末識別子）、ＲＩ-ＦＡＸのＩＦＰ（internet fax protocol）パケットに格納されたＩＰアドレスやＴＳＩ／ＮＳＳなどの端末識別情報から取得するようになっている。なお、ＲＩ−ＦＡＸに複数種類（ここでは、２種類とする）用意するのは、送信元のＲＩ−ＦＡＸのＩＰアドレスが固定されない環境（ＤＨＣＰ（Dynamic Host Configuration Protocol）サーバを使用している等）では、ＩＰアドレスで送信元を一意に指定できないためである。
【００４８】
そして、受信したデータを転送する際には、送信元種別と転送先種別で判断された受信データのデータ変換の要否やその変換方法に従って、例えば、電子メール形式のデータをＧ３ＦＡＸ／Ｇ４ＦＡＸ／ＲＩ−ＦＡＸ端末へ転送する場合には、図５に示すように、転送先が電子メールの場合にはそのままデータ変換なしで、また、電子メールの内容（データ）がＴＩＦＦ（tag image file Format）の場合にはそのままＦＡＸ画像データに変換し、プレーンテキスト（plain text）の場合にはフォント展開してＦＡＸ画像データに変換し、ＨＴＭＬ（hypertext markup language）の場合にはテキスト部分のみを抽出してＦＡＸ画像データに変換し、ＴＩＦＦとプレーンテキストが混在している場合にはそれぞれでＦＡＸ画像データに変換してページを分けるようにすることにより、受信した電子メールの内容に応じたデータ変換を行う。なお、「ＦＡＸ画像データに変換」には、転送先種別のＧ３ＦＡＸ／Ｇ４ＦＡＸ／ＲＩ−ＦＡＸのそれぞれに対応した圧縮方式を適用して変換する処理が含まれる。
【００４９】
次に、ネットワークファクシミリ装置１０による動作を、図６および図７のフローチャートを用いて説明する。
【００５０】
まず、受信の際には、図６に示すように、受信を開始すると、図４に示す方法で送信元情報を取得し（ステップＳ１１）、受信したデータをメモリに蓄積しながら、ユーザにより設定指示されるなど必要な場合にはそのデータの受信処理を継続しつつプロッタ１６により印字する記録出力制御を行い（ステップＳ１２）、送られてきたデータの受信を全て終了した後には（ステップＳ１３）、この受信データが転送する対象であるか否かを、送信元情報と種別とを図３に示す登録情報と参照比較して判定する（ステップＳ１４、Ｓ１５）。
【００５１】
一致する送信元が設定登録されていない場合には、転送制御は行わずに、自端末宛の受信データであってステップＳ１２で印刷していない場合には記録出力制御を実行した後に、または、未登録で自端末宛でもなく保存する必要のない場合等のときにはユーザによる設定指示に従って受信したデータをクリアして（ステップＳ１６）、この受信動作を終了する。
【００５２】
一方、一致する送信元が設定登録されている場合には、転送対象として、転送先情報と受信したデータを関連付けて転送できる状態に内部管理情報を設定するなどの準備を行って（ステップＳ１７）、この受信動作を終了する。
【００５３】
なお、受信データの印字の要否は、転送対象の場合は印字しないとしたり、受信と同時に印字しないで受信終了後に印字したりするなど適宜設定すればよく、また、受信データの消去も手動消去を選択設定するなど適宜設定可能にしておくのが便利である。
【００５４】
次いで、上記受信動作の終了後の転送の際には、図７に示すように、受信動作時に設定された転送対象の転送先端末と接続した後に（ステップＳ２１）、図５に示すような送信元種別と転送先種別に応じた変換方法でデータ変換処理を行いながら変換後のデータの伝送処理を送信が終了するまで行う（ステップＳ２２、Ｓ２３）。この転送時に使用するポート（回線）は、転送先として指定されたものであり、指定されたプロトコルで転送先端末と接続するのは言うまでもない。
【００５５】
次いで、送信の終了が確認されると、この転送済みの受信データを転送対象から外し（ステップＳ２４）、転送後に保存する必要なしなどのユーザによる設定指示に従ってその転送の完了した受信データをクリアして（ステップＳ２５）、この転送動作を終了する。
【００５６】
なお、ネットワークファクシミリ装置１０としては、受信時や転送時にエラーが発生した場合には対処するのは言うまでもないが、ここでの説明は割愛する。
【００５７】
ここで、特許請求の範囲の請求項１ないし請求項６のいずれかに記載された、データ記憶手段は画像蓄積装置１９に対応し、データ変換手段、転送先制御手段およびドメイン名抽出手段はシステム制御部１１に含まれ、転送先登録手段および送信元登録手段は、システムメモリ１２またはパラメータメモリ１３に含まれる。
【００５８】
以上説明したように、本発明の第１の実施形態に係るネットワークファクシミリ装置は、ローカル・エリア・ネットワーク経由で受信した電子メールを、転送先として登録されているファクシミリ装置が処理可能な画像データに変換して転送するので、転送先に電子メールの通信機能を要求することなく、受信した電子メールに含まれるデータを転送することができる。
【００５９】
また、転送先の宛先情報として、例えば、リアルタイム・インターネット・ファクシミリ機能を備えてＩＰアドレスまたはホスト名を登録されている端末については、受信・蓄積された電子メールや画像データは、その宛先情報に対応付けられた端末が通信可能なデータ形式に変換されて転送されため、受信した電子メールに含まれるデータを、リアルタイム・インターネット・ファクシミリ機能機能を備える端末に転送することができる。
【００６０】
また、電子メールに含まれるデータに限らず、例えば、リアルタイム・インターネット・ファクシミリ機能を備える端末からのデータをも転送することができるため、転送するデータの送信元の制限を少なくすることができ、いろいろな形式のデータを転送することができる。
【００６１】
また、電子メールのメールアドレス、リアルタイム・インターネット・ファクシミリ機能を備えた端末のＩＰアドレス、または、公衆回線用ファクシミリ装置の端末識別情報などを、あるいは、データ形式を、受信データの送信元識別情報として登録するとともに、その送信元を転送先に対応付けして登録することにより、受信したデータは、送信元毎に転送先を選択して、その転送先に応じて伝送可能なデータ形式に変換した後に転送することができるため、受信したデータをその送信元に対応する転送先に、または送信元のデータ形式に対応する転送先に転送することができる。
【００６２】
また、受信した電子メールから送信元の電子メールのドメイン名が抽出されて送信元が識別され、対応する転送先に電子メールに含まれるデータのデータ形式が変換されて転送されるため、転送元に応じた転送先にこの転送先が受け取ることができるデータ形式で電子メールに含まれるデータを転送することができる。
【００６３】
また、リアルタイム・インターネット・ファクシミリ機能によってデータを受信したとき、その送信元のＩＰアドレスあるいはパケット内の端末識別情報から送信元が識別され、対応する転送先に受信データがデータ形式を変換されて転送されるため、転送元に応じた転送先にこの転送先が受け取ることができるデータ形式で上記の受信データを転送することができる。
【００６４】
したがって、転送先の伝送機能に応じてデータのやり取りをシームレスに行うことができ、転送するデータの制限を少なくして、いろいろな形式のデータを転送することができる。この結果、汎用性の高いネットワークファクシミリ装置を提供することができる。
（第２の実施の形態）
本発明の第２の実施の形態に係るネットワークファクシミリ装置は、本発明の第１の実施の形態の形態に係るネットワークファクシミリ装置と同様の構成である。そのため、本発明の第１の実施の形態の形態に係るネットワークファクシミリ装置と同一の構成要素については、同一の符号を付し、その説明を省略する。
【００６５】
本発明の第２の実施の形態に係るネットワークファクシミリ装置は、メールの転送を開始する時刻の設定を可能とし、この設定時刻に行った時点でそれまで受信したデータの所定のものを転送するものである。以下に、メールの転送を開始する時刻の設定について図８を用いて説明する。
【００６６】
図８は、転送先種別および送信元種別に応じて転送開始時刻を設定する一例である。図８では、転送先がネットワークコンピュータの場合（Ｎｏ．１）、全ての送信元から送信されたデータは毎日２３時３０分に転送するように設定されている。
【００６７】
また、転送先がワークステーション（メールアドレスが、london@xxx.co.jp）の場合（Ｎｏ．２）、全ての送信元から送信されたデータは毎週金曜日６時に転送するように設定され、転送先がＧ４ＦＡＸ（電話番号０３−１２３４−４５６７）の場合（Ｎｏ．３）、全ての送信元から送信されたデータは毎月２５日１８時に転送するように設定されている。
【００６８】
また、転送先がＧ３ＦＡＸの場合（Ｎｏ．４）、送信元カナガワホンシャのＧ４ＦＡＸからのデータは即時転送され、送信元フクオカシシャのＧ３ＦＡＸからのデータは毎日１時に転送され、送信元メールアドレスsystem2g@xxx.co.jpのワークステーションからのデータは毎日２時に転送され、送信元ドメインyyy.co.jpからのデータは毎日３時に転送される。
【００６９】
また、転送先がワークステーション（メールアドレスsystem1g@xxx.co.jp）の場合（Ｎｏ．５）、送信元ＩＰアドレス１００．２００．１２３．４５のＲＩ−ＦＡＸからのデータは毎週金曜日２１時に転送され、送信元ＸＹ会社のＧ４ＦＡＸからのデータは毎週金曜日２２時に転送され、送信元ＴＳＩまたはＮＳＳが４５６  ２２２  ３３３３のＲＩ−ＦＡＸからのデータは毎週金曜日２３時に転送される。
【００７０】
また、転送先がＲＩ−ＦＡＸ（ＩＰアドレス１００．２００．１２３．４６）の場合（Ｎｏ．６）、送信元電話番号＋８１  ５  ２２２３  ３３３３のＧ３ＦＡＸからのデータは即時に転送される。このようにして、受信したデータを即時転送先に転送を開始するだけでなく、毎日の所定の時刻に、または毎週の所望の曜日若しくは毎月の所望の日における所定時刻に転送を開始させることができる。
【００７１】
転送先および転送元に応じた転送開始時刻の情報は、例えば、システムメモリ１２にこれらを対応付けて格納しておくのでも良い。この場合、システム制御部１１は、転送の際にシステムメモリ１２を参酌し、受信したデータを転送先および転送元に応じた転送開始時刻に転送を開始する。また、メモリ１２、１３が、さらに、転送先に関係なく一律に転送を開始する時刻として１つ以上の設定時刻の情報を記憶できるとするのでも良い。この場合は、転送先に関係なく、設定時刻に一律に転送が開始される。
【００７２】
同様に、送信元に関係なく、または、転送先および送信元の双方に関係なく一律に転送を開始する時刻の情報を記憶できるとするのでも良い。この場合は、送信元に関係なく、または、転送先および送信元の双方に関係なく、設定時刻に一律に転送が開始される。
【００７３】
以下に、メールの転送開始時刻の設定を行う場合の受信動作について図９を用いて説明する。図９に示すフローチャートは、図６に示すフローチャートの転送対象設定と転送準備処理（ステップＳ１７）の次に新たな処理（ステップＳ９８）を設けたものである。ここで、同一の処理については同一の符号を付し、その説明は省略する。
【００７４】
転送対象設定と転送準備処理（ステップＳ１７）が終了すると、転送するデータ毎に転送先および転送元に応じた転送開始時刻を設定し、受信処理を終了する（ステップＳ９８）。
【００７５】
また、図１０に示すように、転送開始時刻の設定（ステップＳ９８）処理の後に、同一転送先および転送元に転送されるデータの有無を検索し（ステップＳ１０１）、この検索処理によって検出されたか否かを判断し（ステップＳ１０２）、検出された場合は、同一転送先および転送元に転送されるデータを１つのファイルまたはジョブ等にマージし（ステップＳ１０３）、検出されない場合は受信動作を終了するように動作させることも可能である。
【００７６】
転送開始時刻を設定する場合の転送動作について図１１を用いて説明する。図１１に示すフローチャートは、図７に示すフローチャートの転送先端末との接続処理（ステップＳ２１）の前に新たな処理（ステップＳ１１１）を設けたものである。ここで、同一の処理については同一の符号を付し、その説明は省略する。
【００７７】
転送動作は、上記の転送開始時刻の設定処理（ステップＳ９８）で設定された転送時刻か否かを判断し（ステップＳ１１１）、転送開始時刻でないと判断した場合は転送開始時刻になるまで該判断処理を行い、転送開始時刻と判断した場合は、ステップＳ２１以降の処理を行うことによって実現される。
【００７８】
ここで、特許請求の範囲の請求項７ないし請求項１４のいずれかに記載された、データ記憶手段は画像蓄積装置１９に対応し、データ変換手段、転送先制御手段、判別手段、転送先抽出手段、判定手段、送信元識別手段、送信元判別手段および転送先抽出手段はシステム制御部１１に含まれ、転送先登録手段、設定時刻記憶手段、送信元登録手段、転送先情報記憶手段および転送先選択用送信元記憶手段は、システムメモリ１２またはパラメータメモリ１３に含まれる。また、設定時刻記憶手段が行う処理は、ステップＳ９８、Ｓ１０１、またはＳ１０２に対応する。
【００７９】
したがって、転送先の伝送機能に応じてデータのやり取りをシームレスに行うことができ、転送するデータの制限を少なくして、いろいろな形式のデータを転送することができる。この結果、汎用性の高いネットワークファクシミリ装置を提供することができる。なお、特許請求の範囲の請求項７ないし請求項９のいずれかに記載されたネットワークファクシミリ装置は、公衆回線を介して通信するネットワーク機能を要しないファクシミリ装置についても同様に適用可能である。
【００８０】
なお、本発明の第２の実施の形態に係るのネットワークファクシミリ装置は、本発明の第１の実施の形態において説明した動作を含むように動作するのでも良い。その場合、本発明の第２の実施の形態に係るネットワークファクシミリ装置は、本発明の第１の実施の形態において説明した動作に加え、上記の動作もすることになる。
【００８１】
以上説明したように、本発明の第２の実施形態に係るネットワークファクシミリ装置は、転送先毎の設定時刻に受信データの転送を開始するため、転送処理の実行により他のファクシミリ通信を妨げる可能性のない時間帯や通信料金の安い時間帯にまとめて転送処理を行うことができる。
【００８２】
また、転送先登録手段が記憶する電話番号、メールアドレス等の各転送先の識別情報に対応する１又は複数の送信元の識別情報を記憶する送信元登録手段を設けて同じ転送先でも送信元毎に異なる転送時刻を設定することができるため、受信側での受信画像の仕分けを簡略化したり、緊急度に応じた優先順位を付加したりすることができる。
【００８３】
また、複数回受信した画情報の転送処理を一度にまとめてできるため、転送時間の短縮と通信費用の低減を実現することができる。
【００８４】
また、電子メールで受け取った画情報を公衆回線経由で通信可能なファクシミリ装置に転送する際に転送開始時間を設定できるため、他のファクシミリ通信を妨げる可能性のない時間帯や通信料金の安い時間帯にまとめて転送処理を行うことができる。
【００８５】
また、転送先としてリアルタイム・インターネット・ファクシミリ機能を備えた装置をも対象とすることができるため、ネットワークトラヒックの少ない時間帯を選んで転送処理を行うことができる。
【００８６】
また、リアルタイム・インターネット・ファクシミリ機能を備えた装置から受信した画情報も転送対象とすることができる。
【００８７】
また、様々な形式やルートで受信した画情報をネットワーク経由で通信可能なコンピュータに接続されたハードディスクにデータを記憶させることができるため、ネットワーク上の特定のフォルダに受信した画情報を保存することができる。
【００８８】
また、転送先登録手段が記憶する各転送先の識別情報に対応する１又は複数の送信元の識別情報を記憶する転送先選択用送信元記憶手段を設けて同じ転送先でも送信元毎に異なる転送時刻を設定することができるため、受信側での受信画像の仕分けを簡略化したり、緊急度に応じた優先順位を付加したりすることができる。
【図面の簡単な説明】
【００８９】
【図１】本発明に係るネットワークファクシミリ装置が接続されたシステム構成を示す図である。
【図２】本発明の形態に係るネットワークファクシミリ装置のブロック構成を示す図である。
【図３】本発明の第１の実施の形態に係る登録情報を説明する一覧表である。
【図４】本発明の第１の実施の形態に係る処理を説明する一覧表である。
【図５】本発明の第１の実施の形態に係る処理を説明する一覧表である。
【図６】本発明の第１の実施の形態に係る処理を説明するフローチャートである。
【図７】本発明の第１の実施の形態に係る処理を説明するフローチャートである。
【図８】本発明の第２の実施の形態に係る登録情報を説明する一覧表である。
【図９】本発明の第２の実施の形態に係る処理を説明するフローチャートである。
【図１０】本発明の第２の実施の形態に係る処理を説明するフローチャートである。
【図１１】本発明の第２の実施の形態に係る処理を説明するフローチャートである。
【符号の説明】
【００９０】
１０  ネットワークファクシミリ装置
１１  システム制御部
１２  システムメモリ
１３  パラメータメモリ
１４  時計回路
１５  スキャナ
１６  プロッタ
１７  操作表示部
１８  符号化復号化部
１９  画像蓄積装置
２０  Ｇ３ファクシミリモデム
２１  網制御装置
２２  ＩＳＤＮインターフェース回路
２３  Ｇ４通信機能部
２４  ＬＡＮインターフェース回路
２５  ＬＡＮ伝送制御部
２６  バス
１００  ワークステーション
２００  メールサーバ
３００  ルータ
【図１】
2005287084.tif 000003
【図２】
2005287084.tif 000004
【図３】
2005287084.tif 000005
【図４】
2005287084.tif 000006
【図５】
2005287084.tif 000007
【図６】
2005287084.tif 000008
【図７】
2005287084.tif 000009
【図８】
2005287084.tif 000010
【図９】
2005287084.tif 000011
【図１０】
2005287084.tif 000012
【図１１】
2005287084.tif 000013